【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
各々複数のアンテナポートと複数のモバイルユーザー機器とを有する複数の基地局を有するワイヤレス電話システムにおけるセル間チャネル品質情報（ＣＳＩ）推定の方法であって、各モバイルユーザー機器が一次サービング基地局を有し、少なくとも１つのモバイルユーザー機器がその一次サービング基地局でない基地局に対して協調マルチポイント受信関係を有し、
前記方法が、
その物理的ダウンリンク共用チャネル（ＰＤＳＣＨ）で前記少なくとも１つのユーザー機器に、対応する一次サービング基地局から各ノンサービング基地局のリソース要素（ＲＥ）ロケーションでゼロエネルギーを有するミュートＰＤＳＣＨを送信することであって、前記一次サービング基地局から各送信アンテナポートのセル固有参照シンボル（ＣＲＳ）ロケーションでのミュートされたＰＤＳＣＨ ＲＥ位置が、下記のように求められ、
Ｍｙ＝｛６×ｋ＋［３×ｍｙ＋Ｃｅｌｌ ＩＤ （Ｃｏｍｐ Ｃｅｌｌｊ） ｍｏｄｕｌｏ ６］｝ｍｏｄｕｌｏ １２
ここで、Ｍｙがアンテナポートｙの前記ミュートされたＰＤＳＣＨ ＲＥであり、ｋが０又は１であり、ここで、ｋが任意の送信アンテナポートｙに対して０又は１のいずれかの値をとり、ｙが選択されたアンテナポートのインデックス数であり、ｍｙが整数であり、ここで、ｍｙがＰＤＳＣＨミュートに対してどの直交周波数分割多重（ＯＦＤＭ）シンボルが構成されているかに依存する値をとり、ｊ＝１、２，．．．，Ｎであり、ここでＮが前記少なくとも１つのユーザー機器に対して協調マルチポイント受信関係を有する基地局の数であり、ｊが前記一次サービング基地局のセルＩＤに等しくない、前記送信することと、
前記ミュートされたＰＤＳＣＨのセル間ＣＳＲパイロットロケーション周りのそのＰＤＳＣＨの前記一次サービング基地局でレートマッチングを実行することと、
前記少なくとも１つのユーザー機器に対して協調マルチポイント受信関係を有する選択された基地局に関連して、前記少なくとも１つのユーザー機器がセル間ＣＳＩ推定を実行することと、
を含む、方法。
【請求項２】
請求項１に記載の方法であって、
ＰＤＳＣＨミュートが生じるＯＦＤＭシンボルで全帯域幅にわたり任意のＰＤＳＣＨミュートイネーブルされたサブフレームにおけるセル間ＣＲＳでＰＤＳＣＨミュートを送信する、方法。
【請求項３】
請求項２に記載の方法であって、
全てのＲＢに対して所定のリソースブロック（ＲＢ）内の関連するロケーションを有する前記ミュートされたＰＤＳＣＨ ＲＥを送信する、方法。
【請求項４】
請求項３に記載の方法であって、
送信することが、前記少なくとも１つのユーザー機器に対して協調マルチポイント受信関係を有する全ての基地局から異なるミュートイネーブルされたサブフレームにわたり物理的リソースブロック（ＰＲＢ）内でミュートされたＰＤＳＣＨ ＲＥを送信する、方法。
【請求項５】
請求項１に記載の方法であって、
前記ユーザー機器の前記一次サービング基地局から前記少なくとも１つのユーザー機器へセル間ＰＤＳＣＨミュートサブフレームオフセットと時間ドメイン周期性とを特定する信号を周期的に送信することを更に含む、方法。
【請求項６】
請求項５に記載の方法であって、
セル間ＰＤＳＣＨミュートサブフレームオフセットと時間ドメイン周期性とを特定する信号を周期的に送信することが、前記少なくとも１つのユーザー機器のＰＤＳＣＨでセミスタティックシグナリングを介してセル固有の第１及び第２の信号を送信し、
前記第１の信号が、セル間ＣＳＩ推定のためのＰＤＳＣＨミュートが生じるサブフレームオフセットを識別する４ビットを有し、
前記第２の信号が、ＰＤＳＣＨミュートイネーブルされたサブフレームの時間ドメイン周期性を識別する２ビットを有する、方法。
【請求項７】
請求項５に記載の方法であって、
セル間ＰＤＳＣＨミュートサブフレームオフセットと時間ドメイン周期性とを特定する信号を周期的に送信することが、前記少なくとも１つのユーザー機器のＰＤＳＣＨでセミスタティックシグナリングを介して、
セル間ＣＳＩ推定のためのＰＤＳＣＨミュートが生じるサブフレームオフセットを識別する４ビットを有する第１の部分と、
ＰＤＳＣＨミュートイネーブルされたサブフレームの時間ドメイン周期性を識別する２ビットを有する第２の部分と、
からなる、セル固有の共に符号化される信号を送信する、方法。
【請求項８】
請求項１に記載の方法であって、
周波数ホッピングパターンに従って所定のＰＲＢ内で任意のＰＤＳＣＨイネーブルされたサブフレームでミュートされたＰＤＳＣＨを送信する、方法。
【請求項９】
請求項８に記載の方法であって、
前記周波数ホッピングパターンがｋの値を決定する、方法。
【請求項１０】
請求項１に記載の方法であって、
ＲＢ送信アンテナポート毎のｍ×Ｎ ＲＥに等しいミュートされたＰＤＳＣＨ ＲＥの密度を有するミュートされたＰＤＳＣＨを送信し、ここで、ｍが各ＲＢ内のアンテナポート毎のミュートされたＰＤＳＣＨ ＲＥの数であり、Ｎが協調する二次セルの数である、方法。
【請求項１１】
請求項１に記載の方法であって、
同一のＯＦＤＭシンボルで協調マルチポイント（ＣｏＭＰ）セット内と同一のミュートイネーブルされたサブフレーム内の全てのセルに対するセル間ＣＲＳでミュートされたＰＤＳＣＨを送信する、方法。
【請求項１２】
請求項１に記載の方法であって、
任意のＰＤＳＣＨミュートイネーブルされたサブフレーム中のＯＦＤＭシンボル０でポート０とポート１でのミュートされたＰＤＳＣＨを送信し、ｍｙがアンテナポートｙに対するｙモジュロ２として選択される、方法。
【請求項１３】
請求項１に記載の方法であって、
任意のＰＤＳＣＨミュートイネーブルされたサブフレーム中のＯＦＤＭシンボル０でポート２とポート３でのミュートされたＰＤＳＣＨを送信し、ｍｙがアンテナポートｙに対するｙモジュロ２として選択される、方法。
【請求項１４】
請求項１に記載の方法であって、
任意のＰＤＳＣＨミュートイネーブルされたサブフレーム中のＯＦＤＭシンボル０でポート０とポート１でのミュートされたＰＤＳＣＨを送信し、ｍｙがポートｙ＝０又は１に対するｙモジュロ２とポートｙ＝２又は３に対する１−ｙモジュロ２として選択される、方法。
【請求項１５】
請求項１に記載の方法であって、
任意のＰＤＳＣＨミュートイネーブルされたサブフレーム中のＯＦＤＭシンボル８でポート２とポート４でのミュートされたＰＤＳＣＨを送信し、ｍｙがポートｙ＝０又は１に対するｙモジュロ２とポートｙ＝２又は３に対する１−ｙモジュロ２として選択される、方法。
【請求項１６】
請求項１に記載の方法であって、
任意のＰＤＳＣＨミュートイネーブルされたサブフレーム中のＯＦＤＭシンボル０でポート０とポート１でのミュートされたＰＤＳＣＨを送信し、ｍｙがポートｙ＝０又は１に対するｙモジュロ２とポートｙ＝２又は３に対する１−ｙモジュロ２として選択される、方法。
【請求項１７】
請求項１に記載の方法であって、
任意のＰＤＳＣＨミュートイネーブルされたサブフレーム中のＯＦＤＭシンボル８でポート２とポート３でのミュートされたＰＤＳＣＨを送信し、ｍｙがポートｙ＝０又は１に対するｙモジュロ２とポートｙ＝２又は３に対する１−ｙモジュロ２として選択される、方法。
【請求項１８】
請求項１に記載の方法であって、
任意のＰＤＳＣＨミュートイネーブルされたサブフレーム中のＯＦＤＭシンボル３でポート０とポート１でのミュートされたＰＤＳＣＨを送信し、ｍｙがポートｙ＝０又は１に対する１−ｙモジュロ２とポートｙ＝２又は３に対する１−ｙモジュロ２として選択される、方法。
【請求項１９】
請求項１に記載の方法であって、
任意のＰＤＳＣＨミュートイネーブルされたサブフレーム中のＯＦＤＭシンボル８でポート２とポート３でのミュートされたＰＤＳＣＨを送信し、ｍｙがポートｙ＝０又は１に対する１−ｙモジュロ２とポートｙ＝２又は３に対する１−ｙモジュロ２として選択される、方法。
【請求項２０】
請求項１に記載の方法であって、
任意のＰＤＳＣＨミュートイネーブルされたサブフレーム中のＯＦＤＭシンボル７でポート０とポート１でのミュートされたＰＤＳＣＨを送信し、ｍｙが全てのアンテナポートに対するｙモジュロ２として選択される、方法。
【請求項２１】
請求項１に記載の方法であって、
任意のＰＤＳＣＨミュートイネーブルされたサブフレーム中のＯＦＤＭシンボル７でポート２とポート３でのミュートされたＰＤＳＣＨを送信し、ｍｙが全てのアンテナポートに対するｙモジュロ２として選択される、方法。
【請求項２２】
請求項１に記載の方法であって、
任意のＰＤＳＣＨミュートイネーブルされたサブフレーム中のＯＦＤＭシンボル７でポート０とポート１でのミュートされたＰＤＳＣＨを送信し、ｍｙがポートｙ＝０又は１に対するｙモジュロ２とポートｙ＝２又は３に対する１−ｙモジュロ２として選択される、方法。
【請求項２３】
請求項１に記載の方法であって、
任意のＰＤＳＣＨミュートイネーブルされたサブフレーム中のＯＦＤＭシンボル８でポート２とポート３１でのミュートされたＰＤＳＣＨを送信し、ｍｙがポートｙ＝０又は１に対するｙモジュロ２とポートｙ＝２又は３に対する１−ｙモジュロ２として選択される、方法。
【請求項２４】
請求項１に記載の方法であって、
任意のＰＤＳＣＨミュートイネーブルされたサブフレーム中のＯＦＤＭシンボル１１でポート０とポート１でのミュートされたＰＤＳＣＨを送信し、ｍｙがポートｙ＝０又は１に対する１−ｙモジュロ２とポートｙ＝２又は３に対するｙモジュロ２として選択される、方法。
【請求項２５】
請求項１に記載の方法であって、
任意のＰＤＳＣＨミュートイネーブルされたサブフレーム中のＯＦＤＭシンボル１でポート２とポート３でのミュートされたＰＤＳＣＨを送信し、ｍｙがポートｙ＝０又は１に対する１−ｙモジュロ２とポートｙ＝２又は３に対するｙモジュロ２として選択される、方法。
【請求項２６】
請求項１に記載の方法であって、
任意のＰＤＳＣＨミュートイネーブルされたサブフレーム中のＯＦＤＭシンボル１１でポート０とポート１でのミュートされたＰＤＳＣＨを送信し、ｍｙが全てのポートに対する１−ｙモジュロ２として選択される、方法。
【請求項２７】
請求項１に記載の方法であって、
任意のＰＤＳＣＨミュートイネーブルされたサブフレーム中のＯＦＤＭシンボル８でポート２とポート３でのミュートされたＰＤＳＣＨを送信し、ｍｙが全てのポートに対する１−ｙモジュロ２として選択される、方法。
【請求項２８】
請求項１に記載の方法であって、
前記少なくとも１つのユーザー機器に既知の所定の時間ホッピングシーケンスに従ってセル間ＣＲＳロケーションで任意のＰＤＳＣＨイネーブルされたサブフレームでミュートされたＰＤＳＣＨを送信する、方法。
【請求項２９】
請求項１に記載の方法であって、
前記一次基地局と、前記少なくとも１つのユーザー機器に対して協調マルチポイント受信関係を有する各基地局とが、このようなセルが各他のこのようなセルのロケーションを推測できるようにするリソースブロックグリッドについてのミュートパターン情報を交換することを更に含む、方法。
【請求項３０】
請求項２９に記載の方法であって、
ミュートパターン情報がそれらのセルＩＤを含む、方法。
【請求項３１】
請求項２９に記載の方法であって、
ミュートパターン情報がそれらのＣＲＳポートｉのロケーションを含み、ここで、０≦ｉ≦３である、方法。
【請求項３２】
請求項２９に記載の方法であって、
リソースブロックグリッドがバックホールリンクを含む、方法。